(57)【要約】【課題】顔に巻き付けて使用する際に、利便性を向上することができるタオルを提供する。【解決手段】矩形のタオル１であって、タオル１の略中央に、タオル１の長手方向に並んだ目出し用の２個の開口１１，１２を有する。そのため、２個の開口１１，１２がユーザの目の位置となるようにすることによって、ユーザがタオル１を顔に巻いて使用する際であっても、視界が遮られないようにすることができる。その結果、視界を遮ることなく、例えば、顔からの汗を効率的に吸水したり、ほこりや汚れ等が顔等に付かないようにしたりすることができる。【選択図】図１
2011217802.tif 000002
【特許請求の範囲】
【請求項１】
矩形のタオルであって、
当該タオルの略中央に、当該タオルの長手方向に並んだ目出し用の２個の開口を有するタオル。
【請求項２】
前記２個の開口の周縁は、ほつれ防止の加工がなされている、請求項１記載のタオル。
【請求項３】
前記２個の開口が目の位置となる仮面の画像が描画されている、請求項１または請求項２記載のタオル。
【請求項４】
前記各開口は、前記タオルの長手方向が長軸の楕円形である、請求項１から請求項３のいずれか記載のタオル。
【請求項５】
前記各開口は、直径２．５センチメートルの円よりも大きく、直径８センチメートルの円よりも小さい、請求項１から請求項４のいずれか記載のタオル。
【請求項６】
長手方向の長さが８０センチメートル以上である、請求項１から請求項５のいずれか記載のタオル。
【請求項７】
長手方向に直角な短手方向の長さが２０センチメートル以上、５０センチメートル以下である、請求項１から請求項６のいずれか記載のタオル。
【発明の詳細な説明】
【技術分野】
【０００１】
本発明は、目出し用の２個の開口を有するタオルに関する。
【背景技術】
【０００２】
従来、水分を吸い取ったり、汚れを取ったりなどの様々な状況においてタオルが用いられてきている。また、そのタオルに関する種々の開発もなされている（例えば、特許文献１参照）。
そのようなタオルは、例えば、肉体労働や運動などの際に汗ふきのために用いられることがある。例えば、顔や頭からの汗をタオルで吸水するため、タオルをはちまきのように頭に巻いたり、首に掛けたりすることがあった。
【０００３】
また、例えば、掃除などの際には、タオルを口の周りに巻いてマスクのように用いたり、タオルを頭の回りに巻いて、ほこり等が髪の毛に付かないようにしたりすることがあった。
【先行技術文献】
【特許文献】
【０００４】
【特許文献１】特開２０１０−０６５３５２号公報
【発明の概要】
【発明が解決しようとする課題】
【０００５】
しかしながら、上述のようにしてタオルを使用する場合であっても、タオルによって顔全体を覆うことはできなかった。そのようにしてしまうと、目も覆われてしまい、見ることができなくなるからである。
【０００６】
本発明は、上記のような状況に応じてなされたものであり、ユーザがタオルを顔（頭部）に巻いて使用する際の利便性を高めることができるタオルを提供することを目的とする。
【課題を解決するための手段】
【０００７】
上記目的を達成するため、本発明によるタオルは、矩形のタオルであって、タオルの略中央に、タオルの長手方向に並んだ目出し用の２個の開口を有するものである。
このような構成により、２個の開口がユーザの目の位置となるようにすることによって、ユーザがタオルを顔（頭部）に巻いて使用する際であっても、視界が遮られないようにすることができる。その結果、視界を遮ることなく、例えば、顔からの汗を効率的に吸水することができたり、ほこりや汚れ等が顔等に付かないようにすることができたりする。また、２個の開口以外については、通常のタオルと同様のものであるため、通常のタオルと同様に用いる（例えば、水分を吸い取ったり、汚れを取ったりするために用いるなど）ことができる。また、タオルの保存時や収納時には、その開口をフック等に掛けることもできうる。
【０００８】
また、本発明によるタオルでは、２個の開口の周縁は、ほつれ防止の加工がなされていてもよい。
このような構成により、目出し用の開口のほつれを防止することができる。その結果、ほつれた糸等が目に入ることを防止することができる。
【０００９】
また、本発明によるタオルでは、２個の開口が目の位置となる仮面の画像が描画されていてもよい。
このような構成により、２個の開口がユーザの目の位置となるように本発明によるタオルで顔をくるんだ際に、まるで仮面を付けているかのようになり得る。したがって、例えば、本発明によるタオルを、遊びや楽しみのために用いることができうる。
【００１０】
また、本発明によるタオルでは、各開口は、タオルの長手方向が長軸の楕円形であってもよい。
このような構成により、開口を目の形状と同様にすることができ、開口を通して見る際に、見やすくなる。
【００１１】
また、本発明によるタオルでは、各開口は、直径２．５センチメートルの円よりも大きく、直径８センチメートルの円よりも小さくてもよい。
【００１２】
また、本発明によるタオルでは、長手方向の長さが８０センチメートル以上であってもよい。
このような構成により、２個の開口がユーザの目の位置となるようにタオルで顔をくるんだ際に、頭の後でタオルを結ぶことができるようになる。
【００１３】
また、本発明によるタオルでは、長手方向に直角な短手方向の長さが２０センチメートル以上、５０センチメートル以下であってもよい。
このような構成により、２個の開口がユーザの目の位置となるようにタオルで顔をくるんだ際に、顔全体または顔の大部分をタオルでカバーすることができるようになる。
【発明の効果】
【００１４】
本発明によるタオル等によれば、２個の開口がユーザの目の位置となるようにタオルで顔をくるむことによって、ユーザの視界が遮られないようにすることができる。また、通常のタオルとしても用いることができる。
【図面の簡単な説明】
【００１５】
【図１】本発明の実施の形態１によるタオルを示す図
【図２】同実施の形態によるタオルの左側面図
【図３】同実施の形態によるタオルの正面図
【図４】同実施の形態における開口付近の拡大図
【図５】同実施の形態における仮面の画像を有するタオルの一例を示す図
【図６】同実施の形態によるタオルの装着状態の一例を示す図
【発明を実施するための形態】
【００１６】
以下、本発明によるタオルについて、実施の形態を用いて説明する。なお、以下の実施の形態において、同じ符号を付した構成要素は同一または相当するものであり、再度の説明を省略することがある。
【００１７】
（実施の形態１）
本発明の実施の形態１によるタオルについて、図面を参照しながら説明する。本実施の形態によるタオルは、目出し用の開口を有するものである。
【００１８】
図１は、本実施の形態によるタオル１を示す平面図である。なお、タオル１の底面図は、図１の平面図を上下反転させたものとなる。すなわち、底面図は平面図と対称に表されることになる。本実施の形態によるタオル１は、矩形である。そのタオル１の長手方向の長さは、８０センチメートル以上であってもよい。後述するように、このタオル１を顔に巻いて結ぶためには、最低８０センチメートル程度は必要だからである。なお、結ぶ必要がなく、頭の後でピンやクリップ等でタオルの両端点を止める場合には、８０センチメートルよりも短い長さであってもよい。すなわち、人間の頭囲程度の長さであってもよい。また、タオル１の長手方向に直角な短手方向の長さは、２０センチメートル以上、５０センチメートル以下であってもよい。タオル１を顔に巻いた際に、顔全体を覆うことができるためには、これぐらいの幅を有していた方がよいからである。なお、目のあたりを覆うだけでいい場合には、これよりも短い幅であってもよい。タオル１は、例えば、いわゆるフェイスタオル程度の大きさであってもよく、あるいは、いわゆるスポーツタオル程度の大きさであってもよい。
【００１９】
また、図１のタオル１の両短辺（図１において上下方向の短い方の辺）は、例えば、端部を折り返して縫ったり、バイアステープを縫い付けたりすることによって、ほつれ防止の加工を行ってもよい。また、図１のタオル１の両長辺（図１において左右方向の長い方の辺）についても、同様なほつれ防止の加工を行ってもよい。これらのほつれ防止の加工については、従来のタオルですでに公知であり、その詳細な説明を省略する。また、ほつれ防止が必要ない場合には、そのようなほつれ防止の加工を行わなくてもよい。タオル１は、主にタオル地で作成されるが、ガーゼのような生地で作成されてもよく、手拭いのような平織りの生地で作成されてもよい。タオル１の素材は主に綿であるが、麻や絹などのその他の天然繊維であってもよく、化学繊維であってもよい。
【００２０】
また、タオル１は、その略中央に、タオル１の長手方向に並んだ目出し用の２個の開口１１，１２を有する。なお、厳密には、タオル１の長手方向については、２個の開口１１，１２は、図１で示されるように、左右対称であり、長手方向のちょうど真ん中の位置に存在することが好適である。一方、タオル１の短手方向については、２個の開口１１，１２は、ちょうど真ん中に位置してもよく、あるいは、一方の長辺側に少しだけ寄っていてもよい。すなわち、短手方向については、２個の開口１１，１２は、中心と、一方の長辺との間に位置してもよい。なお、本実施の形態では、短手方向については、開口１１，１２が一方の長辺側に少しだけ寄っている場合について説明する。人間の目は、顔の上下方向の真ん中に位置するのではなく、頭頂側にずれているため、タオル１においても、開口１１，１２を一方の長辺の側にずらした方が、ユーザがタオル１を装着した際に、適切に顔を覆うことができるようになるからである。図１の場合には、上側の長辺が頭頂側となり、下側の長辺があご側になるように装着することが好適である。
【００２１】
その２個の開口１１，１２は、それぞれ、ユーザの各目に対応した孔である。したがって、その開口１１，１２の大きさは、人間の目と同程度の大きさか、それよりも少し大きいぐらいである。例えば、開口１１，１２の大きさは、直径２．５センチメートルの円よりも大きく、直径８センチメートルの円よりも小さい程度であってもよく、それ以外の大きさであってもよい。また、開口１１，１２の間隔は、人間の目と同程度の間隔であることが好適である。その開口１１，１２の形状は問わない。その開口１１，１２は、例えば、タオル１の長手方向が長軸の楕円形であってもよく、正方形や矩形、三角形、円形等であってもよい。なお、楕円の長軸とは、楕円の２個の焦点を通る直線のことである。このように、２個の開口１１，１２は、その開口１１，１２を通してユーザが見ることができる大きさ、形状、間隔であることが好適である。
【００２２】
図２は、タオル１の左側面図である。なお、タオル１の右側面図は、図２の左側面図と同一であるので省略する。図３は、タオル１の正面図である。なお、タオル１の背面図は、図３の正面図と同一であるので省略する。
【００２３】
図４は、タオル１の開口１１，１２の位置を拡大した図である。図４において、開口１１，１２の周縁は、それぞれバイアステープ１３，１４によって、ほつれ防止の加工が行われている。そのバイアステープ１３，１４は、縫い付けるものであってもよく、あるいは、アイロン等によって熱接着するものであってもよい。なお、ほつれ防止の加工は、バイアステープ以外によってなされてもよい。例えば、ロックミシンやその他のミシン、あるいは、手縫いによって、開口１１，１２の周縁に縁かがり縫いを行ってもよい。また、開口１１，１２の周縁に接着剤を塗布することによってほつれ防止の加工を行ってもよい。また、その他の方法によって、ほつれ防止の加工を行ってもよいことは言うまでもない。また、タオル１は、ほつれ防止の加工を行わなくてもよい。例えば、短期間で破棄してしまう状況で使用する場合等には、開口１１，１２の周縁にほつれ防止の加工を行わなくてもよい。
【００２４】
また、図４において、開口１１，１２の最短の間隔Ａは、例えば、２センチメートル以上、５センチメートル以下であってもよい。また、楕円の開口１１，１２の短い方の幅（短径）Ｂは、例えば、２．５センチメートル以上、５センチメートル以下であってもよい。また、楕円の開口１１，１２の長い方の幅（長軸の幅または長径）Ｃは、例えば、３センチメートル以上、８センチメートル以下であってもよい。
【００２５】
また、図５で示されるように、タオル１には、２個の開口１１，１２が目の位置となる仮面（マスク）の画像２０が描画されていてもよい。その仮面の画像２０の種類は問わない。仮面の画像２０は、例えば、図５で例示されているように、武将の兜の画像であってもよく、ガイコツの画像であってもよく、プロレス等のマスクの画像であってもよい。また、仮面の画像２０は、アニメーションやゲーム、漫画等に登場する主体（例えば、人物や動物、ロボット等）の顔の画像であってもよく、俳優やモデル、歌手等の人物の顔の画像であってもよい。その仮面の画像２０の目の位置が、２個の開口１１，１２となることによって、そのタオル１の開口１１，１２が目の位置となるように装着したユーザは、まるでその仮面をかぶっているかのようになり得る。なお、タオル１には、仮面の画像２０以外の文字や模様、色彩等が施されていてもよい。また、仮面の画像２０は、タオル１の一方の面にのみ描画されていてもよく、あるいは、両面に描画されていてもよい。後者の場合には、表と裏で２個の仮面の画像２０を楽しむことができる。また、ここでは、仮面の画像２０が描画されているタオル１について説明したが、タオル１は、仮面の画像２０が描画されていないものであってもよい。その場合には、タオル１は、無地であってもよく、市販のフェイスタオルやスポーツタオルに描かれているような文字や模様、色彩等が存在してもよい。
【００２６】
図６は、ユーザがタオル１を装着したところの一例を示す図である。図６で示されるように、ユーザは、タオル１の開口１１，１２が、自らの目の位置になるようにして、タオル１を頭部に巻き、その両端部を頭の後で結ぶことによって、タオル１を装着することができる。なお、前述のように、タオル１を頭の後で結ぶのではなく、ピンやクリップ、ゴムバンド等によって止めるようにしてもよい。
【００２７】
以上のように、本実施の形態によるタオル１によれば、２個の開口１１，１２がユーザの目の位置となるようにタオル１で顔をくるむことによって、ユーザがタオル１を顔に巻いて使用する際であっても、視界が遮られないようにすることができる。その結果、視界を遮ることなく、例えば、顔からの汗を効率的に吸水したり、ほこりや汚れ等が顔等に付かないようにしたりできる。また、２個の開口１１，１２以外については、通常のタオルと同様のものであるため、通常のタオルと同様に用いる（例えば、水分を吸い取ったり、汚れを取ったりするために用いるなど）ことができる。また、タオル１の保存時や収納時には、その開口１１，１２の一方または両方をフック等に掛けることもできる。また、仮面の画像２０が描画されていることによって、まるで仮面のようにタオル１を装着することができ、遊びの要素を取り入れた興趣をそそるタオルを提供できることになる。
【００２８】
なお、上記説明において、タオル１や開口１１，１２の形状、大きさ等について説明したが、それらに限定されないことは言うまでもない。ユーザがタオル１を適切に使用できる範囲において、それらを任意に変更してもよい。
【００２９】
また、本発明は、以上の実施の形態に限定されることなく、種々の変更が可能であり、それらも本発明の範囲内に包含されるものであることは言うまでもない。
【産業上の利用可能性】
【００３０】
以上より、本発明によるタオルによれば、２個の開口がユーザの目の位置となるようにタオルで顔をくるんだとしても、ユーザがその２個の開口を介して見ることができ、例えば、肉体労働やスポーツ、掃除の際に顔をくるむタオルとして有用である。
【符号の説明】
【００３１】
１  タオル
１１、１２  開口
１３  バイアステープ
２０  仮面の画像
【図１】
2011217802.tif 000003
【図２】
2011217802.tif 000004
【図３】
2011217802.tif 000005
【図４】
2011217802.tif 000006
【図６】
2011217802.tif 000007
【図５】
2011217802.tif 000008